(57)【特許請求の範囲】
【請求項１】
動物園で動物が登ったり飛び移ったりするために設置する擬木において、
該擬木は、基礎コンクリートに固定して立設する幹部と、該幹部から枝分かれした枝部とからなり、
該枝部は、先端部と基部との間の適宜部位にバネ材を介在させて当該枝部を揺動可能に形成し、
前記バネ材は、当該バネ材に設けたバネプレートと、前記枝部の基部側又は先端部側へ連接するバネ受けプレートとを重ね合わせて、該バネ受けプレートと前記バネプレートとをボルトで連結し、
前記バネ材の周囲には、ゴムチューブを巻回してその上にシリコン材又は樹脂材を充填して枝様に成形し、又は、シリコン材を充填してその上にゴムチューブを巻回してさらに硬質ＦＲＰ又はモルタルを直付けして枝様に成形したこと
を特徴とする擬木。
【請求項２】
前記バネ材は、コイルバネ又は板バネであること
を特徴とする請求項１に記載の擬木。
【請求項３】
前記シリコン材又は樹脂材は、唐辛子粉を混入してあること
を特徴とする請求項１に記載の擬木。
【発明の詳細な説明】
【技術分野】
【０００１】
本発明は、擬木に関するものであり、更に詳しくは、動物園において、猿などの動物が登ったり飛び移ったりするために設置する擬木に関するものである。
【背景技術】
【０００２】
従来、動物園では、人口の岩山や、擬木、擬岩等を設置して自然の景観を模した環境を造り、その中で猿などの様々な動物を展示している。
【０００３】
擬木については、一般にコンクリート製や鉄骨製の他に、モルタル造形物、ＦＲＰ造形物のものが知られている。これらの擬木は頑丈な構造に形成されているので、例えば猿などが飛び移ったり、熊などの大型動物が登っても、破損や劣化が生じにくいようになっている。
【０００４】
なお、特開２００２−１７１８３２号公報（特許文献１参照）には、擬木及び擬木の製造方法の発明が開示されており、実用新案登録第３０８５６７９号公報（特許文献２参照）には、擬木及び擬木の組み付け構造の考案が開示されており、特開平７−１５８３２４号公報（特許文献３参照）には、プラスチック擬木支柱の発明が開示されている。
【先行技術文献】
【特許文献】
【０００５】
【特許文献１】特開２００２−１７１８３２号公報
【特許文献２】実用新案登録第３０８５６７９号公報
【特許文献３】特開平７−１５８３２４号公報
【発明の概要】
【発明が解決しようとする課題】
【０００６】
従来例のコンクリート製、鉄骨製、あるいはモルタル造形物、ＦＲＰ造形物の擬木においては、硬くて堅牢な構造に作られる一方で、猿などが登ったときに自然の樹木のように枝を揺らすことができないという欠点がある。
【０００７】
つまり、猿などの動物は、自然の樹木に登ってその枝を揺らしたり、揺れる枝の反動で他の樹木等に飛び移ったりすることを好む習性があるので、動物園においてはその様な揺れる枝を備えた擬木の開発が大いに要望されるところである。
【０００８】
従って、従来例における擬木においては、自然の樹木と同様な揺れる枝を備えた擬木を開発することに解決しなければならない課題を有している。
【課題を解決するための手段】
【０００９】
前記従来例の課題を解決するための本発明の要旨は、動物園で動物が登ったり飛び移ったりするために設置する擬木において、該擬木は、基礎コンクリートに固定して立設する幹部と、該幹部から枝分かれした枝部とからなり、該枝部は、先端部と基部との間の適宜部位にバネ材を介在させて当該枝部を揺動可能に形成し、前記バネ材は、当該バネ材に設けたバネプレートと、前記枝部の基部側又は先端部側へ連接するバネ受けプレートとを重ね合わせて、該バネ受けプレートと前記バネプレートとをボルトで連結し、前記バネ材の周囲には、ゴムチューブを巻回してその上にシリコン材又は樹脂材を充填して枝様に成形し、又は、シリコン材を充填してその上にゴムチューブを巻回してさらに硬質ＦＲＰ又はモルタルを直付けして枝様に成形したことである。
【００１０】
また、前記バネ材は、コイルバネ又は板バネであること、；
前記シリコン材又は樹脂材は、唐辛子粉を混入してあること、；
を含むものである。
【発明の効果】
【００１１】
本発明に係る擬木によれば、枝部の途中にバネ材を介在させて当該枝部を揺動可能に形成したことによって、自然の樹木のように枝部を揺らすことができる。
従って、猿などの動物が枝部を揺らしたり、揺れる枝部の反動で他の樹木等に飛び移ったりすることができるので、動物園を自然の環境により近づけることができる。
また、バネ材は、当該バネ材に設けたバネプレートと、枝部の基部側又は先端部側へ連接するバネ受けプレートとを重ね合わせて、バネ受けプレートとバネプレートとをボルトで連結したことによって、金属疲労等でバネ材が折れたときには、ボルトを取り外してバネ材の交換を容易に行えるという種々な優れた効果を奏する。
【００１３】
バネ材は、コイルバネ又は板バネであることによって、枝部の揺動が自然で滑らかであるという優れた効果を奏する。
【００１４】
シリコン材又は樹脂材は、唐辛子粉を混入してあることによって、猿などの動物が噛んだときに、辛くて不快な感覚を与えることができるので、その学習効果で枝部を噛んで破損させる問題行動が減少するという優れた効果を奏する。
【図面の簡単な説明】
【００１５】
【図１】本発明の第１実施例に係る擬木１１の内部構造を説明する正面図である。
【図２】枝部１３の内部構造を説明する正面図である。
【図３】本発明の第２実施例に係る擬木３１の内部構造を説明する正面図である。
【図４】枝部３２の内部構造を説明する正面図である。
【発明を実施するための形態】
【００１６】
次に、本発明の実施の形態について図面を参照しながら説明する。まず、図１において、符号１１は第１実施例の擬木を示し、この擬木１１は、基礎コンクリート１４に固定して立設する幹部１２と、幹部１２から枝分かれした枝部１３とから構成される。
【００１７】
擬木１１は、高さが約２０００ｍｍ程度であり、図１に示すように、基礎コンクリート１４の上にベースプレート１５を介して、複数のアンカーボルト１６を埋め込んで底部１１ａを固定して設置される。
【００１８】
また、擬木１１は、鋼管等の内部鉄骨１７を溶接又はボルト止め等で接続して骨組みを形成し、この内部鉄骨１７に沿って、図２に示すように、配筋して鉄筋１８を組み込んでいる。
【００１９】
そして、鉄筋１８に沿って金網状のラスを張設してラス下地１９を形成し、ラス下地１９に沿って硬質ＦＲＰ又はモルタル２０を直付けして成型して、擬木の様に所定の表面処理を行っている。
【００２０】
枝部１３の先端部１３ａと基部１３ｂとの間の適宜部位には、バネ材２１を介在して、このバネ材２１から先端部１３ａ側を揺動可能に形成している。バネ材２１の弾性硬度は、当該バネ材２１を介在して枝部１３の先端部１３ａが約１００ｍｍ揺動する程度の硬度であることが望ましい。
【００２１】
バネ材２１は、図２に示すように、具体的にはコイルバネである。また、バネ材２１の構造は、当該バネ材２１の後端２１ｂに設けたバネプレート２２と、バネ受けプレート２３とを重ね合わせて、当該バネ受けプレート２３とバネプレート２２とをボルト２４で連結した構造である。
【００２２】
バネ受けプレート２３の後端２３ｂは、枝部１３の基部１３ｂ側の内部鉄骨１７へ連接している。また、バネ材２１の先端２１ａは、鉄筋２６に接続している。
【００２３】
このように、バネ受けプレート２３とバネプレート２２とをボルト２４で連結したことによって、金属疲労等でバネ材２１が折れたときに、ボルト２４を取り外して、バネ材２１の交換を容易に行えるのである。
【００２４】
バネ材２１の周囲には、図２に示すように、工業用ゴムチューブ２９を巻回する。この工業用ゴムチューブ２９に換えて鋼材メッシュ入りゴムチューブを用いてもよい。この場合は強度が向上して囓られにくくなる利点がある。さらに工業用ゴムチューブ２９の上にシリコン材又は軟質ウレタン（樹脂材）２５を充填して枝の様に成形し、所定の表面処理を行っている。
【００２５】
シリコン材又は軟質ウレタン（樹脂材）２５には、刺激性のある唐辛子粉を混入してあることが望ましい。この場合、猿などの動物が噛んだときに辛くて不快な感覚を与えることができるので、その学習効果で枝部１３等を噛んで破損させる問題行動が減少するのである。
【００２６】
バネ材２１の先端２１ａから枝部１３の先端部１３ａまでは、約１０００ｍｍ程度の長さに形成される。この間に渡っては、図２に示すように、配筋を行って鉄筋２６を組み込んで、鉄筋２６にラスを張設してラス下地２７を形成し、ラス下地２７に沿って硬質ＦＲＰ又はモルタル２８を直付けして成型し、擬木の様に所定の表面処理を行っている。このように、枝部１３の先端部１３ａ側は、内部鉄骨１７が配設しない構造になっている。
【００２７】
次に、図３に第２実施例の擬木３１を示す。この第２実施例において、前記第１実施例の擬木１１と同一部分には同一符号を付してその詳細は省略する。
【００２８】
この第２実施例の擬木３１は、枝部３２の途中に板バネからなるバネ材３３を配設した構造である。即ち、図４に示すように、バネ材３３の後端３３ｂと、バネ受けプレート３５とを重ね合わせて、当該バネ受けプレート３５と、バネ材３３の後端３３ｂとをボルト３６で連結した構造である。バネ受けプレート３５の後端３５ｂは、枝部３２の基部３２ｂ側の鋼管３４と連接している。
【００２９】
また、バネ材３３の先端３３ａは、バネ受けプレート３８と重ね合わせて、当該バネ受けプレート３８と、バネ材３３の先端３３ａとをボルト３９で連結した構造になっている。バネ受けプレート３８の先端３８ａは、枝部３２の先端部３２ａ側の鋼管３７と連接している。
【００３０】
このように、バネ材３３とバネ受けプレート３５、３８とをボルト３６、３９で連結したことによって、金属疲労等でバネ材３３が折れたときに、ボルト３６又はボルト３９を取り外して、バネ材３３の交換を容易に行えるのである。
【００３１】
バネ材３３の周囲には、図４に示すように、シリコン材４０を充填し、このシリコン材４０の上に工業用ゴムチューブ４１を巻回する。この工業用ゴムチューブに換えて鋼材メッシュ入りゴムチューブを用いてもよい。この場合は強度が向上して囓られにくくなる利点がある。さらにその近傍に硬質ＦＲＰ又はモルタル４２を直付けして成型し、擬木の様に所定の表面処理を行っている。
【００３２】
バネ材３３の後端３３ｂ側の枝部３２は、鋼管３４に沿って鉄筋４７を配筋し、その上に金網状のラスを張設してラス下地４３を形成し、ラス下地４３に沿ってモルタル４４を直付けして成型し、さらに擬木様にＡＥＰ（アクリルエマルジョンペイント）エイジング塗装を施している。
【００３３】
バネ材３３の先端３３ａ側の枝部３２は、鋼管３７に沿って鉄筋４８を配筋し、その上に金網状のラスを張設してラス下地４５を形成し、ラス下地４５に沿って硬質ＦＲＰ又はモルタル４６を直付けして成型し、擬木の様に所定の表面処理を行っている。
【００３４】
以上のように構成される擬木１１、３１は、枝部１３、３２の途中にバネ材２１、３３を介在させて、当該枝部１３、３２を揺動可能に形成したことによって、自然の樹木のように枝部を揺らすことができる。従って、猿などの動物が枝部１３、３２を揺らしたり、揺れる枝部１３、３２の反動で他の樹木等に飛び移ったりすることができるので、動物園を自然の環境により近づけることができる。
【符号の説明】
【００３５】
１１  第１実施例の擬木
１１ａ底部
１２  幹部
１３  枝部
１３ａ先端部
１３ｂ基部
１４  基礎コンクリート
１５  ベースプレート
１６  アンカーボルト
１７  内部鉄骨
１８  鉄筋
１９  ラス下地
２０  硬質ＦＲＰ又はモルタル
２１  バネ材
２１ａ先端
２１ｂ後端
２２  バネプレート
２３  バネ受けプレート
２３ｂ後端
２４  ボルト
２５  シリコン材又は軟質ウレタン（樹脂材）
２６  鉄筋
２７  ラス下地
２８  硬質ＦＲＰ又はモルタル
２９  工業用ゴムチューブ又は鋼材メッシュ入りゴムチューブ
３１  第２実施例の擬木
３２  枝部
３２ａ先端部
３２ｂ基部
３３  バネ材
３３ａ先端
３３ｂ後端
３４  鋼管
３５  バネ受けプレート
３５ｂ後端
３６  ボルト
３７  鋼管
３８  バネ受けプレート
３８ａ先端
３９  ボルト
４０  シリコン材
４１  工業用ゴムチューブ又は鋼材メッシュ入りゴムチューブ
４２  硬質ＦＲＰ又はモルタル
４３  ラス下地
４４  モルタル
４５  ラス下地
４６  硬質ＦＲＰ又はモルタル
４７、４８  鉄筋
【要約】
【課題】動物園において自然の樹木と同様な揺れる枝部を備えた擬木を提供する。
【解決手段】動物園で動物が登ったり飛び移ったりするために設置する擬木１１において、擬木は、基礎コンクリート１４に固定して立設する幹部１２と、幹部から枝分かれした枝部１３とからなり、枝部は、先端部１３ａと基部１３ｂとの間の適宜部位にバネ材２１を介在させて当該枝部を揺動可能に形成し、バネ材の周囲にシリコン材又は樹脂材２５を充填して枝様に成形したことである。
【選択図】図１【図１】
0005753618.tif 000002
【図２】
0005753618.tif 000003
【図３】
0005753618.tif 000004
【図４】
0005753618.tif 000005